(57)【要約】【課題】録画装置に予約した録画処理の開始、失敗をユーザに通知することにより、録画失敗時にユーザが迅速な行動をとることができる録画装置を提供する。【解決手段】録画装置１に電子メールアドレスを登録し、録画装置１が録画を開始した時と、録画に失敗した時と、ユーザが予約録画情報の確認を行う時と、のそれぞれの時に登録されている電子メールアドレスに向けて、それぞれに対応した電子メールを送信する。ユーザは、録画が開始されたか、失敗したのかをすぐに知ることができるので、放送番組を見逃しにくくなる。【選択図】図５
2008312105.tif 000002
【特許請求の範囲】
【請求項１】
録画開始時刻、および録画終了時刻を含む放送番組の予約録画情報の入力を受け付ける受付部と、
前記受付部が入力を受け付けた予約録画情報を記憶する予約録画情報記憶部と、
前記予約録画情報記憶部が記憶する予約録画情報に基づいて、放送番組を録画する録画処理を行う録画部と、を備えた録画装置において、
電子メールアドレスを登録する登録部と、
前記録画部が、前記予約録画情報記憶部が記憶する予約録画情報に基づく録画処理を行う場合、この録画処理の開始にあわせて、前記登録部に登録されている前記電子メールアドレスを宛て先とし、この録画処理の開始を通知する開始通知メールを送信するとともに、開始した予約録画情報に基づく録画処理の終了にあわせて、前記登録部に登録されている前記電子メールアドレスを宛て先とし、この録画処理の終了を通知する終了通知メールを送信する通信部と、を備えたことを特徴とする録画装置。
【請求項２】
放送番組の放送予定を示す電子番組表情報を取得する電子番組情報取得部と、
前記電子番組情報取得手段が取得した前記電子番組表情報に基づいて、前記予約録画情報に係る放送番組の放送時刻の変更の有無を検出する変更検出部と、を備え、
前記通信部は、前記変更検出部が前記予約録画情報に係る放送番組の放送時刻に変更があったことを検出した場合に、前記登録部に登録されている前記電子メールアドレスを宛て先とし、この放送番組についての放送時刻の変更を通知する電子メールを送信する、請求項１に記載の録画装置。
【請求項３】
前記通信部は、前記開始通知メール、または前記終了通知メールで、予約録画情報記憶部が記憶している予約録画情報にかかる放送番組を通知する、請求項１または２に記載の録画装置。
【請求項４】
前記通信部は、前記開始通知メール、または前記終了通知メールで、次に録画を開始する放送番組を通知する、請求項３に記載の録画装置。
【請求項５】
前記通信部は、送信者の電子メールアドレスが、前記登録部に登録されている前記電子メールアドレスである電子メールを受信したとき、予約録画情報記憶部が記憶している予約録画情報にかかる放送番組を通知する電子メールを返信する、請求項１〜４のいずれかに記載の録画装置。
【発明の詳細な説明】
【技術分野】
【０００１】
本発明は、予め入力された放送番組の予約録画情報に従って、放送される放送番組の録画を行う録画装置に関する。
【背景技術】
【０００２】
放送番組による放送番組を受信して、録画媒体に録画し、任意に再生することができる録画装置として、ＤＶＤ等の録画媒体を用いた録画装置が普及している。
【０００３】
ユーザが所用により外出し、所望の放送番組を視聴できないとき、ユーザは上記録画装置に予約録画の入力を行うことで、外出先から戻った後に、録画装置に録画した所望の放送番組を視聴することができる。ユーザが上記録画装置で予約録画を行う時、所望の放送番組のチャンネル、放送開始時刻、放送終了時刻等の予約録画情報を録画装置に入力する。ユーザが入力した予約録画情報に基づいて、録画装置は入力された放送番組の録画を行う。
【０００４】
特許文献１〜３には、外出していても、ユーザは録画装置が予約録画を行ったかどうかの確認を行える構成が記載されている。特許文献１に記載の構成では、録画装置に、ユーザは自らの電子メールアドレスを登録し、ユーザが予約録画の入力を行った放送番組の録画が開始されると、録画装置は登録されている電子メールアドレスに宛てて、録画開始が記載された電子メールを送信する。また、ユーザが入力を行った放送番組の録画が終了すると、録画装置は、登録されている電子メールアドレスに宛てて、録画終了を記載した電子メールを送信する。
【０００５】
特許文献２及び３に記載の構成では、録画している放送番組の録画データの一部を電子メールに添付し、登録されている電子メールアドレスに宛てて当該電子メールを送信する。
【０００６】
上記構成により、ユーザは外出先でも、録画装置が所望の放送番組の録画を行ったことを知ることができる。
【特許文献１】特開２００６−２２９５０４号公報
【特許文献２】特開２００５−２８６５１９号公報
【特許文献３】特開２００２−３７４４８４号公報
【発明の開示】
【発明が解決しようとする課題】
【０００７】
しかしながら、特許文献１に記載の構成では、予約録画の開始及び終了の通知を受け取ることはできるが、何らかの理由で、例えば、ディジタルハイビジョン放送等のデータ容量の大きな録画データを録画しているとき、録画媒体の空き容量が足りないために、録画が開始できなかった、あるいは、録画が途中で終了してしまった、といったとき、ユーザはそのことを知ることができない。そのため、外出先から戻ったとき、録画が行われていなかったことを知ることになる。また、特許文献２及び３では、ユーザが携帯端末の電子メールアドレスに電子メールを受信する時の通信料が増えてしまう。
【０００８】
本発明の目的は、ユーザが放送番組の予約録画を録画装置に行った場合、予約録画が開始されなかった時と、開始されたものの、何らかの理由で予約録画の設定時刻が完了するよりも早く終了してしまった時と、予約録画が開始された時と、ユーザが予約録画の設定確認を行う時と、のそれぞれの時に、ユーザの携帯端末の電子メールアドレスに電子メールを送信することにより、ユーザが迅速な対応を取ることができる録画装置を提供することである。
【課題を解決するための手段】
【０００９】
本発明は上記課題を解決するために、以下の構成である。
【００１０】
録画開始時刻、および録画終了時刻を含む放送番組の予約録画情報の入力を受け付ける受付部と、前記受付部が入力を受け付けた予約録画情報を記憶する予約録画情報記憶部と、前記予約録画情報記憶部が記憶する予約録画情報に基づいて、放送番組を録画する録画処理を行う録画部と、を備えた録画装置において、電子メールアドレスを登録する登録部と、前記録画部が、前記予約録画情報記憶部が記憶する予約録画情報に基づく録画処理を行う場合、この録画処理の開始にあわせて、前記登録部に登録されている前記電子メールアドレスを宛て先とし、この録画処理の開始を通知する開始通知メールを送信するとともに、開始した予約録画情報に基づく録画処理の終了にあわせて、前記登録部に登録されている前記電子メールアドレスを宛て先とし、この録画処理の終了を通知する終了通知メールを送信する通信部と、を備えたことを特徴とする。
【００１１】
本構成では、録画処理の開始及び終了にあわせて、録画装置は、登録しているユーザの電子メールアドレスに宛てて電子メールを送信するため、ユーザは録画処理の開始及び終了を知ることができる。また、録画処理が開始されたものの、途中で終了した時にも、側が装置１は登録しているユーザの電子メールアドレスに宛てて電子メールを送信する。そのため、何らかの理由、例えば、録画媒体の空き容量不足により、ユーザが入力した放送番組の録画が途中で終了した時、ユーザは迅速な対応を取ることができる。
【００１２】
放送番組の放送予定を示す電子番組表情報を取得する電子番組情報取得部と、前記電子番組情報取得手段が取得した前記電子番組表情報に基づいて、前記予約録画情報に係る放送番組の放送時刻の変更の有無を検出する変更検出部と、を備え、前記通信部は、前記変更検出部が前記予約録画情報に係る放送番組の放送時刻に変更があったことを検出した場合に、前記登録部に登録されている前記電子メールアドレスを宛て先とし、この放送番組についての放送時刻の変更を通知する電子メールを送信する。
【００１３】
本構成では、スポーツ中継等の理由により、ユーザが入力していた放送番組の放送時刻が変更された時、録画装置は、予約録画設定を変更したことを、登録された電子メールアドレスに宛てて、電子メールを送信するため、ユーザは予約録画設定の変更を知ることができ、ユーザが入力した放送番組の開始時刻に予約録画開始通知が来なくても、不安を覚えることがなくなる。
【００１４】
前記通信部は、前記開始通知メール、または前記終了通知メールで、予約録画情報記憶部が記憶している予約録画情報にかかる放送番組を通知する。
【００１５】
本構成では、ユーザが予約録画の入力を行った放送番組を確認することができ、予約録画が行われているかどうかの不安を覚えることがなくなる。
【００１６】
前記通信部は、前記開始通知メール、または前記終了通知メールで、次に録画を開始する放送番組を通知する。
【００１７】
本構成では、ひとつの放送番組の予約録画が完了すると、次に設定されている放送番組の予約録画に関しての情報をユーザは知ることができる。
【００１８】
前記通信部は、送信者の電子メールアドレスが、前記登録部に登録されている前記電子メールアドレスである電子メールを受信したとき、予約録画情報記憶部が記憶している予約録画情報にかかる放送番組を通知する電子メールを返信する。
【００１９】
本構成では、ユーザは、外出先であっても、予約録画の入力を行った放送番組の情報を得ることができ、予約録画の入力を行ったかどうかを忘れてしまうことがなくなる。
【発明の効果】
【００２０】
本発明の録画装置は、ユーザが録画装置に放送番組の予約録画の入力をした場合、予約録画が開始されなかった時と、録画は開始されたものの何らかの理由で予約録画の設定時刻が完了するよりも早く終了してしまった時と、予約録画が開始された時と、ユーザが予約録画の設定確認を行う時と、のそれぞれの時、登録されている電子メールアドレスに宛てて、上記時点に応じた電子メールの送信を行う。そのため、電子メールを受け取ったユーザは迅速な対応を取ることができる。
【発明を実施するための最良の形態】
【００２１】
以下、本発明の実施形態である録画装置を説明する。
【００２２】
図１は本発明を適用した録画装置の構成を示すブロック図である。録画装置１は、チューナ部２、録画部３、操作部４、タイマ５、予約録画情報管理部６、制御部７、通信部８を有している。
【００２３】
チューナ部２は、アンテナ２０に接続されてあり、放送番組信号の受信用チューナである。チューナ部２は、受信した放送番組信号を制御部７へ転送する。
【００２４】
アンテナ２０は放送番組信号の他、各放送局が放送する電子番組表情報を受信する、
録画部３は、チューナ部２から転送される放送番組信号をＤＶＤ等の録画媒体に録画する。
【００２５】
操作部４は、録画装置１をユーザが操作するために必要な各種機能キーを備えている。操作された操作キー毎に制御信号を制御部７へ送信する。
【００２６】
タイマ５は、現在時刻（年、月、日、時、分、秒）を示す時計手段を備えており、制御部７からの指示に従って、現在時刻を制御部７及び予約録画情報管理部６へ通知する。
【００２７】
予約録画情報管理部６は、ユーザから入力された予約録画に関する情報である予約録画情報を管理する。予約録画情報の管理についての詳細は後述する。
【００２８】
制御部７は、ＣＰＵ等で構成されており、録画装置１全体を制御している。また、制御部７は、電子メールの送受信を行うために必要なソフトウェアを備えている。
【００２９】
通信部８は、例えば、インタネットに接続している。インタネットを介して、通信部８は携帯端末９との間でデータ通信を行う。
【００３０】
携帯端末９は、インタネットを介して通信部８とデータ通信を行う。携帯端末９は、例えば、携帯電話、PDA（Personal Digital Assistant）、PHS（PersonalHandy Phone）である。
【００３１】
次に予約録画情報管理部６で管理されている予約録画情報について説明する。
【００３２】
ユーザが入力を行った予約録画に関する情報は、予約録画情報管理部６に記憶される。予約録画情報管理部６において、予約録画に関する情報は、図２に示されている予約録画情報管理テーブル２１で記憶されている。
【００３３】
予約録画情報管理テーブル２１には、例えば、予約された放送番組の録画処理毎に、予約を行ったユーザが登録した電子メールアドレス、電子番組表情報に基づいた放送番組の放送チャンネル、録画処理開始時刻、録画処理終了時刻、放送番組のタイトルを記憶している。この予約録画情報管理テーブル２１は、ユーザにより入力された予約録画を受け付ける毎、又は、予約録画情報に基づいた録画処理が実行される毎に制御部７によって更新される。ユーザが電子メールアドレスを登録する時、例えば、録画装置１に直接入力しても良いし、ユーザが電子メールを録画装置１に設定されている電子メールアドレスに宛てて送信することで、ユーザ毎の電子メールアドレスを登録しても良い。また、電子メールアドレスを登録するために、ユーザが送信する電子メールは、本文及びタイトルに文字情報を記載する必要は無い。
【００３４】
なお、本実施例では、一人のユーザが録画を行う時を示しているが、複数ユーザで使用しても良い。この場合、例えば、予約録画毎にユーザ毎の電子メールアドレスを登録しておき、録画装置１は、ユーザ毎の予約録画情報に応じて、登録されている電子メールアドレスに宛てて電子メールを送信する。また、登録されている電子メールアドレス全体あるいは、一部に宛てて電子メールを送信しても良い。
【００３５】
上記の予約録画管理テーブル２１を用いて、録画装置１は、予約録画の開始時刻及び終了時刻を管理している。予約録画管理テーブル２１で管理されている録画開始時刻及び録画終了時刻が経過したと録画装置１が判断すると、放送番組の録画処理が開始及び終了される。録画装置１は、録画処理を開始すると同時に、登録されている電子メールアドレスに宛てて、録画開始を記載した電子メールを送信する。録画装置１は、録画終了時刻を経過したと判断すると、録画終了と同時に、登録されている電子メールアドレスに宛てて、録画終了を記載した電子メールを送信する。録画装置１は、予約録画開始時刻を経過しても録画ができない時、予約録画開始時刻と同時に、登録されている電子メールアドレスに宛てて、予約録画失敗を記載した電子メールを送信する。また、録画が開始されたものの、予約録画終了時刻になる前に録画が終了してしまった時、録画が終了した時と同時に、登録されている電子メールアドレスに宛てて、予約録画失敗を記載した電子メールを送信する。
【００３６】
上記の予約録画情報管理テーブル２１を管理することにより、例えば、ユーザは、予約した録画処理の内容を確認するために、録画装置１に設定されている電子メールアドレスに宛てて、電子メールを送信する。すると、録画装置１は、録画装置１の電子メールアドレスに宛ててユーザが送信した電子メールを受信して、ユーザが登録した電子メールアドレスに宛てて、図３で示されている予約録画情報管理部６に記憶されている予約録画情報管理テーブル２１の登録内容が記載された電子メールを送信する。ユーザが予約録画情報の確認を行うために、録画装置１に設定されている電子メールアドレスに宛てて送信する電子メールは、本文または題名において、録画装置１に設定されている電子メールアドレスから送信される電子メールに記載される予約録画情報の記載を指定しても良い。この時録画装置１は、ユーザが電子メールで指定した予約録画情報を記載した電子メールを、予約録画情報の確認を行ったユーザの電子メールアドレスに宛てて送信する。
【００３７】
また、スポーツ中継の延長等により、予約録画の時刻が変更になった時、録画装置１は電子番組表情報に基づいて、ユーザが予約録画の入力をした放送番組の予約録画時刻の変更を行う。変更した直後、録画装置１は、登録されている電子メールアドレスに宛てて、図４に示した予約録画時刻変更通知が記載された電子メールを送信する。ユーザは録画装置１が予約録画時刻の変更を行ったことを知ることができるため、ユーザが入力を行った予約録画時刻を過ぎて、録画開始、あるいは、録画失敗の通知が来ないことで、不安感を抱くこともない。また、予約録画が何らかの理由で開始されなかった時、すぐにユーザが知ることができるため、迅速な対応をとることが可能となる。また、予約録画が何らかの理由で途中までしか録画されなかった時、すぐにユーザは知ることができるため、迅速な対応をとることができる。
【００３８】
また、予約録画開始時刻になっても、録画装置１から電子メールをユーザが登録を行った電子メールアドレスに宛てて送信しない時、ユーザは録画装置１が電子メールを送信できない状態にあることを知ることができる。この時、ユーザは迅速な対応をとることができ、所望の番組を見逃しにくくなる。
【００３９】
予約録画情報管理テーブル２１は、録画が完了されると、制御部７によって更新される。
【００４０】
図５は、録画装置１が予約録画処理を行う時のフローチャートである。ステップＳ１において、制御部７は、予約録画情報管理テーブル２１に登録されている録画開始時刻及び終了時刻に基づいて、録画処理を実行する。録画処理が開始されなかった時、ステップＳ２に進み、録画処理が開始された時、ステップＳ４へ進む。
【００４１】
ステップＳ２において、録画装置１は、録画処理が開始されなかったと判断すると、ステップＳ３へ進む。ステップＳ３において、制御部７は、メーラを起動し、登録されている電子メールアドレスを予約録画情報管理テーブル２１から読み出し、読み出した電子メールアドレスに宛てて、図６に示された録画処理の開始ができなかった放送番組の内容、次の放送番組の情報等を記載した電子メールを送信する。
【００４２】
ステップＳ４において、録画装置１は、録画処理が開始されたと判断すると、ステップＳ５へ進む。ステップＳ５において、制御部７は、メーラを起動し、登録されている電子メールアドレスを予約録画管理テーブル２１から読み出し、読み出した電子メールアドレスに宛てて、図７に示された録画処理が開始された放送番組の内容等を記載した電子メールを送信する。録画装置１は、入力された放送番組の録画処理が終了したと判断するとステップＳ６へ進む。
【００４３】
ステップＳ６において、録画装置１は、実行中の録画処理の終了時刻が経過したと判断すると、ステップＳ７に進み、実行中の録画処理の終了時刻が経過する前に、録画処理が中断されたと判断すると、ステップＳ８に進む。
【００４４】
ステップＳ７において、制御部７が、メーラを起動し、登録されている電子メールアドレスを予約録画管理テーブル２１から読み出し、読み出した電子メールアドレスに宛てて、図８に示された録画処理が終了した放送番組の内容、次の放送番組の予約録画情報等を記載した電子メールを送信する。
【００４５】
ステップＳ８において、制御部７が、メーラを起動し、登録されている電子メールアドレスを予約録画管理テーブル２１から読み出し、読み出した電子メールアドレスに宛てて、図９に示された録画処理が失敗した放送番組の内容、次の放送番組の予約録画情報等を記載した電子メールを送信する。
【００４６】
録画装置１において、ユーザは、放送番組の予約録画を行う時電子メールアドレスを登録する。録画装置１は、予約録画の開始及び終了時に、登録されている電子メールアドレスに宛てて、開始及び終了に係る電子メールを送信するため、ユーザは放送番組の予約録画の開始及び終了を知ることができる。また、ユーザは、外出先においても、録画装置１に設定されている電子メールアドレスに宛てて、携帯端末等から電子メールを送信することにより、放送番組の予約録画の情報の確認を行うことができる。
【００４７】
また、何らかの理由により放送番組の放送時刻が変更された時、録画装置１は、予約録画時刻の変更通知を登録されている電子メールアドレスに宛てて、送信するため、ユーザは外出先であっても、放送時刻の変更をしることができる。そのため、ユーザが入力した放送番組の予約録画の開始時に、登録した電子メールアドレスに宛てて、録画装置１から電子メールが送信されなくとも、不安を覚えずにすむ。また、録画装置１は、予約録画が開始できなかった時、登録されている電子メールアドレスに宛てて、電子メールを送信するため、ユーザは迅速な対応を取ることができ、放送番組を見逃しにくくなる。また、予約設定時刻の変更通知、予約録画開始の通知、予約録画失敗の通知、がないときには、ユーザは録画装置１に何らかの問題が発生したことを知ることができ、迅速な対応をとることができき、放送番組を見逃しにくくなる。
【００４８】
なお、本発明は上記実施例に限定されるものではなく、種々の変更を行うことが可能である。
【００４９】
また、予約録画管理テーブル２１に表示する内容は、上記説明に限らない。例えば、複数のユーザが使う時には、電子メールアドレスを表示させる代わりに予め登録された各ユーザのユーザ名を表示させても良い。また、録画装置１が送信する電子メールの記載内容も本実施例に限定されるものではなく、種々の変更が可能である。
【図面の簡単な説明】
【００５０】
【図１】本発明を適用した録画装置の構成例を示すブロック図である。
【図２】本発明を適用した予約録画情報管理テーブルの構成例を示す模式図である。
【図３】本発明を適用した予約内容確認通知の一例を示す模式図である。
【図４】本発明を適用した予約時刻変更通知の一例を示す模式図である。
【図５】本発明を適用した録画装置に係る録画処理時メール送信の手順を示すフローチャートである。
【図６】本発明を適用した録画処理失敗に係る録画失敗通知の一例を示す模式図である。
【図７】本発明を適用した録画処理開始に係る録画開始通知の一例を示す模式図である。
【図８】本発明を適用した録画処理終了に係る録画終了通知の一例を示す模式図である。
【図９】本発明を適用した録画処理途中終了に係る録画終了通知の一例を示す模式図である。
【符号の説明】
【００５１】
１−録画装置
２−チューナ部
２０−アンテナ
３−録画部
４−操作部
５−タイマ
６−予約録画情報管理部
７−制御部
８−通信部
９−携帯端末
２１−予約録画情報管理テーブル
【図１】
2008312105.tif 000003
【図２】
2008312105.tif 000004
【図３】
2008312105.tif 000005
【図４】
2008312105.tif 000006
【図５】
2008312105.tif 000007
【図６】
2008312105.tif 000008
【図７】
2008312105.tif 000009
【図８】
2008312105.tif 000010
【図９】
2008312105.tif 000011